(57)【要約】【課題】様々な幅のターゲットの側端を含む領域に液体吐出手段から液体を吐出することができるようにする。【解決手段】用紙の右側端が基準ガイド４０に沿って配置された基準配置時の用紙Ｓが定形サイズのときには、全てのノズル２３を中間部分吐出用ノズルとして用紙への印刷を行ない、基準配置時の用紙が定形サイズでないときには、各々の主走査方向ノズル列のうちインク受け領域５２（第５側端受け領域５２ｅ）に対応する主走査方向ノズル列の各ノズル（破線で囲まれたノズル）を中間部分吐出用ノズルとして用紙への印刷を行なう。これにより、用紙が定形サイズか否かに拘わらず、様々なサイズ（幅）の記録紙の両側端に対する縁なし印刷を行なうことができる。【選択図】図４
2010240953.tif 000002
【特許請求の範囲】
【請求項１】
ターゲットに液体を吐出する液体吐出装置であって、
前記ターゲットを搬送する搬送手段と、
前記ターゲットの搬送方向に直交する直交方向の移動を伴って複数のノズルの各々から前記ターゲットに液体を吐出する液体吐出手段と、
前記搬送手段により搬送される前記ターゲットを支持する支持部，前記直交方向の長さが所定の長さに形成された液体受け部，を有するターゲット通過部と、
前記搬送手段と前記液体吐出手段とを制御する制御手段と、
を備え、
前記液体受け部は、前記液体吐出手段の前記直交方向の任意のノズル列のノズルから吐出されて前記ターゲットの側端を外れた液体を受け止め可能な第１液体受け領域と前記直交方向の前記第１液体受け領域外の全ての位置に形成され前記液体吐出手段の前記直交方向の少なくとも一部のノズル列のノズルから吐出されて前記ターゲットの側端を外れた液体を受け止め可能な第２液体受け領域とを含み、
前記制御手段は、少なくとも前記ターゲットの前記搬送方向の先端および後端を除く部分について該ターゲットの側端を含む領域に前記液体吐出手段から液体を吐出する際、前記ターゲットの両側端が前記第１液体受け領域上を通過する第１の状態のときには前記ターゲットが前記ターゲット通過部を通過しながら前記液体吐出手段の前記直交方向の任意のノズル列のノズルから液体が吐出されるよう前記搬送手段と前記液体吐出手段とを制御し、前記ターゲットの両側端のうち少なくとも一方が前記第２液体受け領域上を通過する第２の状態のときには前記ターゲットが前記ターゲット通過部を通過しながら前記液体吐出手段のノズルのうち前記ターゲットの少なくとも一方の側端が前記支持部上になる位置に対応する前記直交方向のノズル列のノズルからは液体が吐出されず前記ターゲットの両側端が前記液体受け部上になる位置に対応する前記直交方向のノズル列のノズルから液体が吐出されるよう前記搬送手段と前記液体吐出手段とを制御する手段である、
ことを特徴とする液体吐出装置。
【請求項２】
請求項１記載の液体吐出装置であって、
前記ターゲット通過部は、前記所定の長さ以下の所定幅のターゲットが前記直交方向における所定位置で前記搬送方向に搬送されるときの該ターゲットの側端に対応する位置に前記第１液体受け領域が形成されてなる、
液体吐出装置。
【請求項３】
請求項１または２記載の液体吐出装置であって、
前記支持部は、前記搬送方向に対して斜めにまたは千鳥状に配置されてなる、
液体吐出装置。
【請求項４】
請求項１ないし３のいずれか１つの請求項に記載の液体吐出装置であって、
前記ターゲットの幅を取得する幅取得手段を備え、
前記制御手段は、前記取得されたターゲットの幅に基づいて前記第１の状態か前記第２の状態かを判定する手段である、
液体吐出装置。
【請求項５】
請求項１ないし３のいずれか１つの請求項に記載の液体吐出装置であって、
前記ターゲットの側端の前記直交方向における位置を検出する側端検出手段を備え、
前記制御手段は、前記検出されたターゲットの側端の前記直交方向における位置に基づいて前記第１の状態か前記第２の状態かを判定する手段である、
液体吐出装置。
【請求項６】
ターゲットを搬送する搬送手段と、前記ターゲットの搬送方向に直交する直交方向の移動を伴って複数のノズルの各々から前記ターゲットに液体を吐出する液体吐出手段と、前記搬送手段により搬送される前記ターゲットを支持する支持部，前記直交方向の長さが所定の長さに形成された液体受け部，を有するターゲット通過部と、を備え、前記液体受け部は、前記液体吐出手段の前記直交方向の任意のノズル列のノズルから吐出されて前記ターゲットの側端を外れた液体を受け止め可能な第１液体受け領域と前記直交方向の前記第１液体受け領域外の全ての位置に形成され前記液体吐出手段の前記直交方向の少なくとも一部のノズル列のノズルから吐出されて前記ターゲットの側端を外れた液体を受け止め可能な第２液体受け領域とを含むものである液体吐出装置の制御方法であって、
少なくとも前記ターゲットの前記搬送方向の先端および後端を除く部分について該ターゲットの側端を含む領域に前記液体吐出手段から液体を吐出する際、前記ターゲットの両側端が前記第１液体受け領域上を通過する第１の状態のときには前記ターゲットが前記ターゲット通過部を通過しながら前記液体吐出手段の前記直交方向の任意のノズル列のノズルから液体が吐出されるよう前記搬送手段と前記液体吐出手段とを制御し、前記ターゲットの両側端のうち少なくとも一方が前記第２液体受け領域上を通過する第２の状態のときには前記ターゲットが前記ターゲット通過部を通過しながら前記液体吐出手段のノズルのうち前記ターゲットの少なくとも一方の側端が前記支持部上になる位置に対応する前記直交方向のノズル列のノズルからは液体が吐出されず前記ターゲットの両側端が前記液体受け部上になる位置に対応する前記直交方向のノズル列のノズルから液体が吐出されるよう前記搬送手段と前記液体吐出手段とを制御するステップ、
を含むことを特徴とする液体吐出装置の制御方法。
【請求項７】
請求項６記載の液体吐出装置の制御方法のステップをコンピューターに実現させるためのプログラム。
【発明の詳細な説明】
【技術分野】
【０００１】
本発明は、液体吐出装置およびその制御方法並びにプログラムに関する。
【背景技術】
【０００２】
従来、この種の液体吐出装置としては、プラテン面（プラテンの上面）に、主走査方向に所定の間隔をおいてリブが形成されると共に主走査方向に延びる凹部（溝）と用紙の側端に位置すべき部分に方形の凹部とが形成されるものが提案されている（例えば、特許文献１参照）。この装置では、縁なし印刷時には、用紙の端部を外れたインクが凹部に打ち捨てられることにより、プラテン面がインクで汚損されないようになっている。
【先行技術文献】
【特許文献】
【０００３】
【特許文献１】特開２００４−１５５１０９号公報
【発明の概要】
【発明が解決しようとする課題】
【０００４】
こうした液体吐出装置では、用紙の幅によっては用紙の側端に位置すべき部分の一部がリブ上になることがあるが、この場合でも、リブをインクで汚損することなく、少なくとも側端に対する縁なし印刷を可能にするよう望まれることがある。
【０００５】
本発明の液体吐出装置およびその制御方法並びにプログラムは、様々な幅のターゲットの側端を含む領域に液体吐出手段から液体を吐出することができるようにすることを主目的とする。
【０００６】
本発明の液体吐出装置およびその制御方法並びにプログラムは、上述の主目的を達成するために以下の手段を採った。
【課題を解決するための手段】
【０００７】
本発明の液体吐出装置は、
ターゲットに液体を吐出する液体吐出装置であって、
前記ターゲットを搬送する搬送手段と、
前記ターゲットの搬送方向に直交する直交方向の移動を伴って複数のノズルの各々から前記ターゲットに液体を吐出する液体吐出手段と、
前記搬送手段により搬送される前記ターゲットを支持する支持部，前記直交方向の長さが所定の長さに形成された液体受け部，を有するターゲット通過部と、
前記搬送手段と前記液体吐出手段とを制御する制御手段と、
を備え、
前記液体受け部は、前記液体吐出手段の前記直交方向の任意のノズル列のノズルから吐出されて前記ターゲットの側端を外れた液体を受け止め可能な第１液体受け領域と前記直交方向の前記第１液体受け領域外の全ての位置に形成され前記液体吐出手段の前記直交方向の少なくとも一部のノズル列のノズルから吐出されて前記ターゲットの側端を外れた液体を受け止め可能な第２液体受け領域とを含み、
前記制御手段は、少なくとも前記ターゲットの前記搬送方向の先端および後端を除く部分について該ターゲットの側端を含む領域に前記液体吐出手段から液体を吐出する際、前記ターゲットの両側端が前記第１液体受け領域上を通過する第１の状態のときには前記ターゲットが前記ターゲット通過部を通過しながら前記液体吐出手段の前記直交方向の任意のノズル列のノズルから液体が吐出されるよう前記搬送手段と前記液体吐出手段とを制御し、前記ターゲットの両側端のうち少なくとも一方が前記第２液体受け領域上を通過する第２の状態のときには前記ターゲットが前記ターゲット通過部を通過しながら前記液体吐出手段のノズルのうち前記ターゲットの少なくとも一方の側端が前記支持部上になる位置に対応する前記直交方向のノズル列のノズルからは液体が吐出されず前記ターゲットの両側端が前記液体受け部上になる位置に対応する前記直交方向のノズル列のノズルから液体が吐出されるよう前記搬送手段と前記液体吐出手段とを制御する手段である、
ことを特徴とする。
【０００８】
この本発明の液体吐出装置では、少なくともターゲットの搬送方向の先端および後端を除く部分についてターゲットの側端を含む領域に液体吐出手段から液体を吐出する際に、搬送手段により搬送されるターゲットを支持する支持部，液体吐出手段の直交方向の任意のノズル列のノズルから吐出されてターゲットの側端を外れた液体を受け止め可能な第１液体受け領域と直交方向の第１液体受け領域外の全ての位置に形成され液体吐出手段の直交方向の少なくとも一部のノズル列のノズルから吐出されてターゲットの側端を外れた液体を受け止め可能な第２液体受け領域とを含み直交方向の長さが所定の長さに形成された液体受け部，を有するターゲット通過部における第１液体受け領域上をターゲットの両側端が通過する第１の状態のときには、ターゲットがターゲット通過部を通過しながら液体吐出手段の直交方向の任意のノズル列のノズルから液体が吐出されるよう搬送手段と液体吐出手段とを制御する。一方、少なくともターゲットの搬送方向の先端および後端を除く部分についてターゲットの側端を含む領域に液体吐出手段から液体を吐出する際に、ターゲットの両側端のうち少なくとも一方が第２液体受け領域上を通過する第２の状態のときには、ターゲットがターゲット通過部を通過しながら液体吐出手段のノズルのうちターゲットの少なくとも一方の側端が支持部上になる位置に対応する直交方向のノズル列のノズルからは液体が吐出されずターゲットの両側端が液体受け部上になる位置に対応する直交方向のノズル列のノズルから液体が吐出されるよう搬送手段と液体吐出手段とを制御する。これにより、第１の状態か第２の状態かに拘わらず、ターゲットの側端を外れた液体は液体受け部に到達し支持部には付着しないから、次にターゲットに液体を吐出する際にターゲットに汚れなどを生じさせることなく、直交方向の長さ（幅）が所定の長さより短い様々な幅のターゲットの側端を含む領域に液体吐出手段から液体を吐出することができる。ここで、「所定の長さ」は、例えば、Ａ０サイズ，半切サイズ、Ａ４サイズなどのいずれかよりも長い長さであるものとすることもできる。
【０００９】
こうした本発明の液体吐出装置において、前記ターゲット通過部は、前記所定の長さ以下の所定幅のターゲットが前記直交方向における所定位置で前記搬送方向に搬送されるときの該ターゲットの側端に対応する位置に前記第１液体受け領域が形成されてなる、ものとすることもできる。この場合、所定幅のターゲットが直交方向の所定位置で搬送方向に搬送されるときには、第１の状態としてターゲットに液体を吐出することができる。ここで、「所定幅」には、例えば、ハガキサイズやＢ５サイズ，Ａ４サイズなどが含まれる。
【００１０】
また、本発明の液体吐出装置において、前記支持部は、前記搬送方向に対して斜めにまたは千鳥状に配置されてなる、ものとすることもできる。この場合、ターゲット通過部を通過するターゲットを、搬送方向に対して斜めに配置された支持部または千鳥状に配置された支持部によって支持することができる。
【００１１】
さらに、本発明の液体吐出装置において、前記ターゲットの幅を取得する幅取得手段を備え、前記制御手段は、前記取得されたターゲットの幅に基づいて前記第１の状態か前記第２の状態かを判定する手段である、ものとすることもできる。この場合、ターゲットの幅に応じて搬送手段や液体吐出手段を制御することにより、所定の長さ以下の様々な幅のターゲットの側端を含む領域に液体吐出手段から液体を吐出することができる。
【００１２】
あるいは、本発明の液体吐出装置において、前記ターゲットの側端の前記直交方向における位置を検出する側端検出手段を備え、前記制御手段は、前記検出されたターゲットの側端の前記直交方向における位置に基づいて前記第１の状態か前記第２の状態かを判定する手段である、ものとすることもできる。この場合、ターゲットの側端の直交方向における位置に応じて搬送手段や液体吐出手段を制御することにより、所定の長さ以下の様々な幅のターゲットの側端を含む領域に液体吐出手段から液体を吐出することができる。
【００１３】
加えて、本発明の液体吐出装置において、前記液体受け部は、前記複数のノズルの各々から吐出された液体を吸収する液体吸収体を有する、ものとすることもできる。
【００１４】
また、本発明の液体吐出装置において、前記液体受け部は、前記液体吐出手段の複数のノズルから吐出されて前記ターゲットの前記搬送方向の上端や下端を外れた液体を受け止め可能な領域を含む、ものとすることもできる。
【００１５】
本発明の液体吐出装置の制御方法は、
ターゲットを搬送する搬送手段と、前記ターゲットの搬送方向に直交する直交方向の移動を伴って複数のノズルの各々から前記ターゲットに液体を吐出する液体吐出手段と、前記搬送手段により搬送される前記ターゲットを支持する支持部，前記直交方向の長さが所定の長さに形成された液体受け部，を有するターゲット通過部と、を備え、前記液体受け部は、前記液体吐出手段の前記直交方向の任意のノズル列のノズルから吐出されて前記ターゲットの側端を外れた液体を受け止め可能な第１液体受け領域と前記直交方向の前記第１液体受け領域外の全ての位置に形成され前記液体吐出手段の前記直交方向の少なくとも一部のノズル列のノズルから吐出されて前記ターゲットの側端を外れた液体を受け止め可能な第２液体受け領域とを含むものである液体吐出装置の制御方法であって、
少なくとも前記ターゲットの前記搬送方向の先端および後端を除く部分について該ターゲットの側端を含む領域に前記液体吐出手段から液体を吐出する際、前記ターゲットの両側端が前記第１液体受け領域上を通過する第１の状態のときには前記ターゲットが前記ターゲット通過部を通過しながら前記液体吐出手段の前記直交方向の任意のノズル列のノズルから液体が吐出されるよう前記搬送手段と前記液体吐出手段とを制御し、前記ターゲットの両側端のうち少なくとも一方が前記第２液体受け領域上を通過する第２の状態のときには前記ターゲットが前記ターゲット通過部を通過しながら前記液体吐出手段のノズルのうち前記ターゲットの少なくとも一方の側端が前記支持部上になる位置に対応する前記直交方向のノズル列のノズルからは液体が吐出されず前記ターゲットの両側端が前記液体受け部上になる位置に対応する前記直交方向のノズル列のノズルから液体が吐出されるよう前記搬送手段と前記液体吐出手段とを制御するステップ、
を含むことを特徴とする。
【００１６】
この本発明の液体吐出装置の制御方法では、少なくともターゲットの搬送方向の先端および後端を除く部分についてターゲットの側端を含む領域に液体吐出手段から液体を吐出する際に、搬送手段により搬送されるターゲットを支持する支持部，液体吐出手段の直交方向の任意のノズル列のノズルから吐出されてターゲットの側端を外れた液体を受け止め可能な第１液体受け領域と直交方向の第１液体受け領域外の全ての位置に形成され液体吐出手段の直交方向の少なくとも一部のノズル列のノズルから吐出されてターゲットの側端を外れた液体を受け止め可能な第２液体受け領域とを含み直交方向の長さが所定の長さに形成された液体受け部，を有するターゲット通過部における第１液体受け領域上をターゲットの両側端が通過する第１の状態のときには、ターゲットがターゲット通過部を通過しながら液体吐出手段の直交方向の任意のノズル列のノズルから液体が吐出されるよう搬送手段と液体吐出手段とを制御する。一方、少なくともターゲットの搬送方向の先端および後端を除く部分についてターゲットの側端を含む領域に液体吐出手段から液体を吐出する際に、ターゲットの両側端のうち少なくとも一方が第２液体受け領域上を通過する第２の状態のときには、ターゲットがターゲット通過部を通過しながら液体吐出手段のノズルのうちターゲットの少なくとも一方の側端が支持部上になる位置に対応する直交方向のノズル列のノズルからは液体が吐出されずターゲットの両側端が液体受け部上になる位置に対応する直交方向のノズル列のノズルから液体が吐出されるよう搬送手段と液体吐出手段とを制御する。これにより、第１の状態か第２の状態かに拘わらず、ターゲットの側端を外れた液体は液体受け部に到達し支持部には付着しないから、次にターゲットに液体を吐出する際にターゲットに汚れなどを生じさせることなく、直交方向の長さ（幅）が所定の長さより短い様々な幅のターゲットの側端を含む領域に液体吐出手段から液体を吐出することができる。
【００１７】
本発明のプログラムは、本発明の液体吐出装置の制御方法のステップをコンピューターに実現させるためのものである。このプログラムは、コンピューターが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピューターから別のコンピューターに配信されてもよいし、その他どのような形で授受されてもよい。このプログラムをコンピューターに実行させれば、本発明の液体吐出装置の制御方法のステップが実行されるため、本発明の液体吐出装置の制御方法と同様の作用効果が得られる。
【図面の簡単な説明】
【００１８】
【図１】プリンター２０の構成の概略を示す構成図。
【図２】プラテン３６の構成の概略を示す構成図。
【図３】縁なし印刷処理ルーチンの一例を示すフローチャート。
【図４】中間部分吐出用ノズルの設定の様子を示す説明図。
【図５】プラテン１３６の構成の概略を示す構成図。
【図６】プラテン２３６の構成の概略を示す構成図。
【発明を実施するための形態】
【００１９】
次に本発明の実施形態を図面を用いて説明する。図１は、本発明の一実施形態であるプリンター２０の構成の概略を示す構成図であり、図２は、プラテン３６の構成の概略を示す構成図である。本実施形態のプリンター２０は、図１に示すように、流体としてのインクをターゲットとしての用紙Ｓに噴射するインク噴射機構２１と、駆動モーター３３により駆動されプラテン３６上を図中奥から手前へと用紙Ｓを搬送する搬送機構３１と、プリンター２０全体をコントロールするコントローラー７０とを備えている。
【００２０】
インク噴射機構２１は、キャリッジベルト３２によりキャリッジ軸２８に沿って左右（主走査方向（用紙Ｓの搬送方向に直交する直交方向））に往復動するキャリッジ２２と、各色のインクに圧力をかけノズル２３から流体としてのインク滴を噴射する印刷ヘッド２４と、キャリッジ２２に装着されて溶媒としての水に着色剤としての顔料を含有したブラック（Ｋ），シアン（Ｃ），マゼンタ（Ｍ），イエロー（Ｙ）の各色のインクを個別に収容しこの収容したインクを印刷ヘッド２４へ供給するインクカートリッジ２６と、を備えている。キャリッジ２２は、フレーム２９の右側に取り付けられたキャリッジモーター３４ａとフレーム２９の左側に取り付けられた従動ローラー３４ｂとの間に架設されたキャリッジベルト３２がキャリッジモーター３４ａによって駆動されるのに伴って移動する。キャリッジ２２の背面には、キャリッジ２２の位置を検出するリニア式エンコーダー２５が配置されており、このリニア式エンコーダー２５を用いてキャリッジ２２のポジションが管理可能となっている。印刷ヘッド２４は、キャリッジ２２の下部に設けられており、圧電素子に電圧をかけることによりこの圧電素子を変形させてインク滴を加圧する方式により印刷ヘッド２４の下面に設けられたノズル２３から各色のインクを噴射するものである。この印刷ヘッド２４の下面には、ノズル２３が配列した搬送方向のノズル列が各色ごとに設けられている。なお、以下の説明では、搬送方向のノズル列を搬送方向ノズル列２７ａと称し、主走査方向のノズル列を主走査方向ノズル列２７ｂと称することがある。また、印刷ヘッド２４は、発熱抵抗体（例えばヒータなど）に電圧をかけインクを加熱して発生した気泡によりインクを加圧する方式を採用してもよい。また、インクカートリッジ２６は、フレーム２９に装着されチューブにより印刷ヘッド２４へインク等を供給するいわゆるオフキャリッジの構成としてもよい。
【００２１】
搬送機構３１は、プラテン３６上に用紙Ｓを搬送する紙送りローラー３５と、印刷後の用紙Ｓを排紙する排紙ローラー３９と、紙送りローラー３５や排紙ローラー３９を回転させる駆動モーター３３と、を備えている。
【００２２】
プラテン３６は、図１および図２に示すように、搬送された用紙Ｓを支持する支持部としてのリブ３６ａと、リブ３６ａの周囲に設けられ印刷ヘッド２４から吐出されるインクを受け止めてスポンジにより吸収するインク受け領域５２と、により構成されている。インク受け領域５２は、図２（ａ）に示すように、Ａ４サイズ以下の用紙Ｓに印刷可能なようにプラテン３６の長手方向（主走査方向）にＡ４サイズの幅より長く形成されており、主走査方向では、用紙Ｓの右側端が用紙Ｓをガイドする基準ガイド４０に沿って配置された基準配置時に用紙Ｓの右側端が上方を通過するように形成されて用紙Ｓの右側端からはみ出たインクを受け止める第１側端受け領域５２ａと、それぞれハガキサイズ、Ｂ５サイズ、Ａ４サイズ（以下、ハガキサイズやＢ５サイズ，Ａ４サイズをまとめて定形サイズと称することがある）の用紙Ｓの基準配置時にその用紙Ｓの左側端が上方を通過するように形成されて用紙Ｓの左側端からはみ出たインクを吸収する第２〜第４側端受け領域５２ｂ〜５２ｄと、第１〜第４側端受け領域５２ａ〜５２ｄ外で且つ定形サイズでない用紙Ｓの基準配置時に用紙Ｓの左側端からはみ出たインクを吸収する第５側端受け領域５２ｅと、を有する。第１〜第４側端受け領域５２ａ〜５２ｄは、搬送方向の長さが搬送方向ノズル列２７ａよりも長くなるよう形成されている。したがって、定形サイズの用紙Ｓの基準搬送時において、印刷ヘッド２４の全ての主走査方向ノズル列２７ｂの各ノズル２３から吐出されて用紙Ｓの側端を外れたインク滴は、第１〜第４側端受け領域５２ａ〜５２ｄのスポンジにより吸収されることになる。第５側端受け領域５２ｅは、定形サイズでない基準配置時に少なくとも一部の主走査方向ノズル列２７ｂの各ノズル２３から吐出されて用紙Ｓの左側端を外れたインク滴を受け止めることができるよう形成されている。インク受け領域５２は、搬送方向では、図２（ｂ）に示すように、用紙Ｓの上端からはみ出たインクを吸収する上端受け領域５２ｆと、用紙Ｓの下端からはみ出たインクを吸収する下端受け領域５２ｇと、を有し、上端受け領域５２ｆおよび下端受け領域５２ｇは、主走査方向の長さが定形サイズのうち最も大きなＡ４サイズの幅よりも長くなるよう形成されている。リブ３６ａは、定形サイズの用紙Ｓの側端を外れたインクが付着せず且つ用紙Ｓの搬送を妨げないように、搬送方向に対して斜めになるように設けられている。したがって、定形サイズでない用紙Ｓのサイズ（幅）によっては、基準配置時の用紙Ｓの左側端は、リブ３６ａ上と第５側端受け領域５２ｅ上とを通過することになる。なお、本実施形態では、リブ３６ａの主走査方向の全ての位置における搬送方向の長さは、インク受け領域５２のうち上端受け領域５２ｆ，下端受け領域５２ｇを除いた領域全体にリブを設けるものに比して短くなる。
【００２３】
コントローラー７０は、図１に示すように、ＣＰＵ７２を中心とするマイクロプロセッサーとして構成されており、各種処理プログラムを記憶しデータを書き込み消去可能なフラッシュＲＯＭ７４と、一時的にデータを記憶したりデータを保存したりするＲＡＭ７６と、外部機器との情報のやり取りを行うインターフェイス（Ｉ／Ｆ）７８と、図示しない入出力ポートとを備えている。このコントローラー７０には、ユーザーがプリンター２０に対して各種の指示を入力するためのデバイスであり、各種の指示に応じた文字や画像が表示されるカラー液晶パネルにより構成された表示部や、各種操作を行うキーなどが配置された操作部が設けられている操作パネル７９が電気的に接続されている。このコントローラー７０には、リニア式エンコーダー２５からのキャリッジ２２のポジション信号や操作パネル７９からの操作信号などが図示しない入力ポートを介して入力されるほか、ユーザーパソコン（ＰＣ）８０から出力された印刷ジョブなどがＩ／Ｆ７８を介して入力される。また、コントローラー７０からは、印刷ヘッド２４への制御信号や駆動モーター３３への制御信号、キャリッジモーター３４ａへの制御信号、操作パネル７９への信号などが図示しない出力ポートを介して出力される。
【００２４】
こうした本実施形態のプリンター２０では、印刷設定の指定を伴ってユーザーＰＣ８０から印刷すべき画像データを受け取って用紙Ｓへの印刷を行なう際には、画像データを展開して展開データを作成し、駆動モーター３３により紙送りローラー３５や排紙ローラー３９を回転させて用紙Ｓを搬送しながらキャリッジ３０をキャリッジモーター３４ａにより往復動させ、同時に展開データに基づいて印刷ヘッド２４の圧電素子に電圧をかけて各ノズル２３から各色インクを吐出することにより、用紙Ｓ上にカラー画像を形成する。ここで、印刷設定としては、用紙Ｓに設定される余白の有無、すなわち縁なし印刷の実行の有無や用紙Ｐのサイズ、紙種などの設定が含まれている。なお、本実施形態では、ユーザーＰＣ８０は、ユーザーにより縁なし印刷が選択されると、画像データを用紙Ｓに縁（余白）が生じないように用紙Ｓのサイズよりも大きな画像データに加工してプリンター２０に送信するものとした。
【００２５】
次に、こうして構成された本実施形態のプリンター２０の動作、特に、縁なし印刷の実行が指示された際の動作について説明する。図３は、本実施形態のコントローラー７０により実行される縁なし印刷処理ルーチンの一例を示すフローチャートである。このルーチンを実行するプログラムは、フラッシュＲＯＭ７４に記憶され、ユーザーＰＣ８０から縁なし指定の印刷ジョブの指令を受信したときにコントローラー７０のＣＰＵ７２により実行される。この印刷ジョブには、印刷すべき画像データのほか、指定された用紙Ｓのサイズ情報や紙種などの設定情報が含まれる。以下、説明の都合上、設定情報として、用紙Ｓの上端（搬送方向の先端）および下端（搬送方向の後端）について余白が設定されると共に左側端および右側端に余白なし（余白０ｍｍ）が設定されたときについて説明する。また、用紙Ｓの右側端が基準ガイド４０に沿って配置された基準配置時とする。
【００２６】
縁なし印刷処理ルーチンが実行されると、コントローラー７０のＣＰＵ７２は、まず、ユーザーＰＣ８０からの設定情報のうち用紙Ｓのサイズ情報を入力すると共に（ステップＳ１００）、入力した用紙Ｓのサイズが定形サイズ（ハガキサイズやＢ５サイズ，Ａ４サイズ）か否かを判定し（ステップＳ１１０）、用紙Ｓのサイズが定形サイズのときには、用紙Ｓの上端および下端以外の部分（以下、中間部分という）を印刷するときにインク滴を吐出してもよいノズルとしての中間部分吐出用ノズルとして全てのノズル２３を設定し（ステップＳ１２０）、画像データを展開して展開データを作成し、紙送りローラー３５や排紙ローラー３９により用紙Ｓが搬送方向に搬送されるよう駆動モーター３３を制御すると共に主走査方向の往復動を伴って印刷ヘッド２４の中間部分吐出用ノズルから展開データに基づいてインク滴が吐出されるようキャリッジモーター３４ａと印刷ヘッド２４とを制御することにより用紙Ｓへの印刷を行ない（ステップＳ１４０）、印刷すべき次の画像データがあるか否かを判定し（ステップＳ１５０）、画像データが存在すると判定されたときにはステップＳ１００に戻ってステップＳ１００〜Ｓ１５０の処理を繰り返し、画像データが存在しないと判定されたときにはこれで本ルーチンを終了する。これにより、定形サイズの用紙Ｓの左右側端に対する縁なし印刷を行なうことができる。この場合、中間部分吐出用ノズルから吐出されて用紙Ｓの側端を外れたインクは、第１側端受け領域５２ａと第２〜第４側端受け領域５２ｂ〜５２ｄのうち用紙Ｓの左側端が上方を通過する側端受け領域とのスポンジにより吸収される。しかも、この場合、全部のノズル２３（全部の主走査方向ノズル列２７ｂの各ノズル２３）を中間部分吐出用ノズルとして印刷を行なうから、用紙Ｓへの印刷を迅速に行なうことができる。
【００２７】
一方、ステップＳ１１０で用紙Ｓのサイズが定形サイズでないときには、用紙Ｓの左側端が通過する通過ラインに基づいて中間部分吐出用ノズルを設定し（ステップＳ１３０）、画像データを展開して展開データを作成し、紙送りローラー３５や排紙ローラー３９により用紙Ｓが搬送方向に搬送されるよう駆動モーター３３を制御すると共に主走査方向の往復動を伴って印刷ヘッド２４の中間部分吐出用ノズルから展開データに基づいてインク滴が吐出されるようキャリッジモーター３４ａと印刷ヘッド２４とを制御することにより用紙Ｓへの印刷を行ない（ステップＳ１４０）、印刷すべき次の画像データがあるか否かを判定し（ステップＳ１５０）、画像データが存在すると判定されたときにはステップＳ１００に戻ってステップＳ１００〜Ｓ１５０の処理を繰り返し、画像データが存在しないと判定されたときにはこれで本ルーチンを終了する。図４は、この場合の中間部分吐出用ノズルの設定の様子について示す説明図である。この場合、用紙Ｓの左側端が通過する通過ライン上において、印刷ヘッド２４の各々の主走査方向ノズル列２７ｂのうちリブ３６ａに対応しない（第５側端受け領域５２ｅに対応する）主走査方向ノズル列の各ノズル２３（図４中、破線で囲まれたノズル）を中間部分吐出用ノズルとして設定することになる。この中間部分吐出用ノズルの設定は、例えば、フラッシュＲＯＭ７４に予め記憶されたリブ３６ａや第５側端受け領域５２ｅ，印刷ヘッド２４の搬送方向および主走査方向の位置などに基づいて行なうことができる。こうして設定した中間部分吐出用ノズルから必要に応じてインク滴を吐出して印刷を行なうことにより、各々の主走査方向ノズル列２７ｂのうちリブ３６ａに対応する主走査方向ノズル列の各ノズルからはインク滴が吐出されず、また、中間部分吐出用ノズルから吐出されて用紙Ｓの側端を外れたインクは第１，第５側端受け領域５２ａ，５２ｅのスポンジにより吸収されるから、インクはリブ３６ａには付着しない。したがって、次に印刷する用紙Ｓに用紙汚れなどを生じさせることなく、左右側端に対する縁なし印刷を行なうことができる。即ち、用紙Ｓのサイズが定形サイズでない場合でも、左右側端に対する縁なし印刷を行なうことができるのである。なお、この場合、主走査方向ノズル列２７ｂのうちリブ３６ａに対応する主走査方向ノズル列の各ノズルについては中間部分吐出用ノズルとして設定せず液体の吐出を行なわないから、全部のノズル２３を中間部分吐出用ノズルとして印刷を行なう場合に比して印刷速度は低下する。しかしながら、本実施形態では、リブ３６ａの主走査方向の全ての位置における搬送方向の長さがインク受け領域５２のうち上端受け領域５２ｆ，下端受け領域５２ｇを除いた領域全体にリブを設けるものに比して短くなるため、より多くの主走査方向ノズル列２７ｂの各ノズルを中間部分吐出用ノズルとして設定することができる。この結果、全部のノズル２３を中間部分吐出用ノズルとして印刷を行なう場合に対する印刷速度の低下をより抑制することができる。
【００２８】
ここで、本実施形態の構成要素と本発明の構成要素との対応関係を明らかにする。本実施形態の搬送機構３１が本発明の搬送手段に相当し、印刷ヘッド２４が液体吐出手段に相当し、インク受け領域５２やリブ３６ａを有するプラテン３６がターゲット通過部に相当し、コントローラー７０が制御手段に相当する。なお、本実施形態では、液体吐出装置としてのプリンター２０の動作を説明することにより、本発明の液体吐出装置の制御方法やプログラムの一例も明らかにしている。
【００２９】
以上説明した実施例のプリンター２０によれば、用紙Ｓの右側端が基準ガイド４０に沿って配置された基準配置時の用紙Ｓが定形サイズのときには、全てのノズル２３を中間部分吐出用ノズルとして印刷を行ない、基準配置時の用紙Ｓが定形サイズでないときには、各々の主走査方向ノズル列２７ｂのうち第５側端受け領域５２ｅに対応する主走査方向ノズル列の各ノズルを中間部分吐出用ノズルとして印刷を行なうことにより、用紙Ｓが定形サイズか否かに拘わらず、様々なサイズ（幅）の用紙Ｓの左右側端に対する縁なし印刷を行なうことができる。
【００３０】
なお、本発明は上述した実施形態に何ら限定されることはなく、本発明の技術的範囲に属する限り種々の態様で実施し得ることはいうまでもない。
【００３１】
上述した実施形態では、用紙Ｓの上端（搬送方向の先端）および下端（搬送方向の後端）について余白が設定されると共に左側端および右側端に余白なし（余白０ｍｍ）が設定されたときについて説明したが、用紙Ｓの左側端および右側端に加えて上端および下端についても余白なしが設定されているときには、用紙Ｓの上端や下端を印刷する際に、中間部分吐出用ノズルを用いて上述した実施形態と同様に印刷を行なえばよい。この場合、用紙Ｓが定形サイズの場合には、用紙Ｓの上端を印刷する際には、用紙Ｓの上端および側端を外れたインクは第１〜第４側端受け領域５２ａ〜５２ｄや上端受け領域５２ｆのスポンジにより吸収され、用紙Ｓの下端を印刷する際には、用紙Ｓの下端および側端を外れたインクは第１〜第４側端受け領域５２ａ〜５２ｄや下端受け領域５２ｇのスポンジにより吸収される。一方、用紙Ｓが定形サイズでない場合には、用紙Ｓの上端を印刷する際には、用紙Ｓの上端および側端を外れたインクは第１，第５側端受け領域５２ａ，５２ｅや上端受け領域５２ｆのスポンジにより吸収され、用紙Ｓの下端を印刷する際には、用紙Ｓの下端および側端を外れたインクは第１，第５側端受け領域５２ａ，５２ｅや下端受け領域５２ｇのスポンジにより吸収される。
【００３２】
上述した実施形態では、基準配置時にユーザーＰＣ８０からの印刷設定に含まれる用紙Ｓのサイズ情報に基づいて中間部分吐出用ノズルを設定するときについて説明したが、用紙Ｓの側端を検出する図示しない側端検出センサ（例えば、発光ダイオードなどの発光部と、フォトトランジスタなどの受光部と、により構成された光学センサなど）を備え、そのセンサによる検出値に基づいて中間部分吐出用ノズルを設定するものとしてもよい。この場合、例えば、側端検出センサにより用紙Ｓの右側端および左側端を検出し、検出した用紙Ｓの右側端および左側端の位置と予めフラッシュＲＯＭ７４に記憶された第１〜第４側端受け領域５２ａ〜５２ｄの位置とを比較することによって用紙Ｓの右側端および左側端が共に第１〜第４側端受け領域５２ａ〜５２ｄのいずれかの上方を通過するか否かを判定し、用紙Ｓの右側端および左側端が共に第１〜第４側端受け領域５２ａ〜５２ｄのいずれかの上方を通過すると判定したときには、図３の縁なし印刷処理ルーチンのステップＳ１２０，Ｓ１４０の処理と同様に全部のノズル２３（全部の主走査方向ノズル列２７ｂの各ノズル２３）を中間部分吐出用ノズルとして印刷を行ない、用紙Ｓの右側端および左側端の少なくとも一方が第１〜第４側端受け領域５２ａ〜５２ｄのいずれかの上方を通過しない（第５側端受け領域５２ｅを通過する）と判定したときには、ステップＳ１３０，Ｓ１４０の処理と同様に各々の主走査方向ノズル列２７ｂのうち第５側端受け領域５２ｅに対応する主走査方向ノズル列の各ノズルを中間部分吐出用ノズルとして印刷を行なうものとすればよい。このように印刷を行なうことにより、実施例と同様に、様々なサイズの用紙Ｓに対して少なくとも側端についての縁なし印刷を行なうことができる。しかも、この場合、基準配置時でない場合でも、用紙Ｓに対して少なくとも側端についての縁なし印刷を行なうことができる。
【００３３】
上述した実施形態では、第１〜第４側端受け領域５２ａ〜５２ｄ以外の領域に、搬送方向に対して斜めになるようにリブ３６ａを設けるものとしたが、図５のプラテン１３６に例示するように、長手方向が主走査方向になり搬送方向に対して複数の段数となるようにリブ１３６ａを設けるものとしてもよいし、図６のプラテン２３６に例示するように、千鳥状にリブ２３６ａを設けるものとしてもよい。
【００３４】
上述した実施形態では、ハガキサイズやＢ５サイズ，Ａ４サイズを定形サイズとしたが、これらに代えてまたは加えて他のサイズ（例えば、レターサイズやＬ判サイズなど）を定形サイズとするものとしてもよい。
【００３５】
上述した実施形態では、インク受け領域５２の主走査方向の長さは、定形サイズのうち最も大きなＡ４サイズの幅よりも長くなるよう形成されているものとしたが、定形サイズのうち最も大きなサイズはＡ４サイズに限られず、Ａ０サイズや半切サイズ，Ａ３サイズなどとしてもよい。即ち、インク受け領域５２の主走査方向の長さは、Ａ０サイズや半切サイズ，Ａ３サイズなどのいずれかの幅よりも長く形成されているものとしてもよい。
【００３６】
上述した実施形態では、本発明の流体吐出装置をプリンター２０に具体化した例を示したが、インク以外の他の液体や機能材料の粒子が分散されている液状体（分散液）、ジェルのような流状体などを吐出する流体吐出装置に具体化してもよいし、流体として吐出可能な固体を吐出する流体吐出装置に具体化してもよい。例えば、液晶ディスプレイ、ＥＬ（エレクトロルミネッセンス）ディスプレイ及び面発光ディスプレイの製造などに用いられる電極材や色材などの材料を溶解した液体を吐出する液体吐出装置、同材料を分散した液状体を吐出する液状体吐出装置、精密ピペットとして用いられ試料となる液体を吐出する液体吐出装置としてもよい。また、時計やカメラ等の精密機械にピンポイントで潤滑油を吐出する液体吐出装置、光通信素子等に用いられる微小半球レンズ（光学レンズ）などを形成するために紫外線硬化樹脂等の透明樹脂液を基板上に吐出する液体吐出装置、基板などをエッチングするために酸又はアルカリ等のエッチング液を吐出する液体吐出装置、ジェルを吐出する流状体吐出装置、トナーなどの粉体を吐出する粉体吐出式記録装置としてもよい。
【００３７】
本実施形態では、本発明の液体吐出装置をプリンター２０に具体化した例を用いて説明したが、液体吐出装置の制御方法の形態や、液体吐出装置の制御方法のステップをコンピューターに実現させるためのプログラムの形態としてもよい。
【００３８】
以上、本発明の実施形態について説明したが、本発明は上述した実施形態に何ら限定されることはなく、本発明の技術的範囲に属する限り種々の態様で実施し得ることは勿論である。
【符号の説明】
【００３９】
２０  プリンター、２１  インク噴射機構、２２  キャリッジ、２３  ノズル、２４  印刷ヘッド、２５  リニア式エンコーダー、２６  インクカートリッジ、２７ａ  搬送方向ノズル列、２７ｂ  主走査方向ノズル列、２８  キャリッジ軸、２９  フレーム、３０  キャリッジ、３１  搬送機構、３２  キャリッジベルト、３３  駆動モーター、３４ａ  キャリッジモーター、３４ｂ  従動ローラー、３５  ローラー、３６，１３６，２３６  プラテン、３６ａ，１３６ａ，２３６ａ  リブ、３９  排紙ローラー、４０  基準ガイド、５２  インク受け領域、５２ａ〜５２ｅ  第１〜第５側端受け領域、５２ｆ  上端受け領域、５２ｇ  下端受け領域、７０  コントローラー、７２  ＣＰＵ、７４  フラッシュＲＯＭ、７６  ＲＡＭ、７９  操作パネル、８０  ユーザーＰＣ。
【図１】
2010240953.tif 000003
【図２】
2010240953.tif 000004
【図３】
2010240953.tif 000005
【図４】
2010240953.tif 000006
【図５】
2010240953.tif 000007
【図６】
2010240953.tif 000008